(57)【要約】【課題】大容量泡放射システムに使用されるホースの道路上での方向転換を小スペースで行うことを可能とする大容量泡放射システム用ホース接続具を提供すること。【解決手段】大容量泡放射システムに使用される最小曲げ半径の大きい大口径ホース同士を接続する接続具において、前記大口径ホースの最小曲げ半径よりも少なくとも小さい曲げ半径で湾曲された接続管部１２を有し、該接続管部の各々の端部には、前記大口径ホースと接続するための接続口１４がそれぞれ設けられ、前記接続管部１２には、地面から一定の高さで支持するための脚部１６が設けられ、該脚部は、地面に設置され、前記支持状態の安定化のための所定の面積を有する平板状のベース部１８に固定されたことを特徴とする大容量泡放射システム用ホース接続具１０。【選択図】図１
2012090703.tif 000002
【特許請求の範囲】
【請求項１】
大容量泡放射システムに使用される最小曲げ半径の大きい大口径ホース同士を接続する接続具において、
前記大口径ホースの最小曲げ半径よりも少なくとも小さい曲げ半径で湾曲された接続管部を有し、
該接続管部の各々の端部には、前記大口径ホースと接続するための接続口がそれぞれ設けられ、
前記接続管部には、地面から一定の高さで支持するための脚部が設けられ、
該脚部は、地面に設置され、前記支持状態の安定化のための所定の面積を有する平板状のベース部に固定されたことを特徴とする大容量泡放射システム用ホース接続具。
【請求項２】
前記接続管部は、前記大口径ホースを前記接続口に接続した時の２本の前記大口径ホースの軸方向の交差角が、ほぼ直角又は少なくともそれより小さい角度となるように湾曲されたことを特徴とする請求項１に記載の大容量泡放射システム用ホース接続具。
【発明の詳細な説明】
【技術分野】
【０００１】
本発明は、石油タンク等の大規模な火災に使用される大容量泡放射システムのホース接続具に関する。
【背景技術】
【０００２】
石油コンビナートの油貯蔵タンクで発生する大規模な火災を消火するためのシステムとして、以前から大容量泡放射システムが知られている。
【０００３】
従来の大容量泡放射システムは、図６の概略図に示すように、海１００に配置された水中ポンプ５２から汲みだされた海水が、ホース５４を通り送水システム５６に送水され、この送水システム５６からホース５８を介して泡混合装置６０に送られ、泡混合装置６０において泡供給システム６２から供給された泡と混合された後、ホース６４を介して泡放水砲６６に供給され、最後に、泡放水砲６６から石油タンク等の火災源１０２−１に向けて放射されるシステムである。泡放水砲６６からは、一分間当たり１万リットル以上もの量の泡消火剤が放射される。
【０００４】
大容量泡放射システムは、火災が発生したときに、図７に示すように、通常道路１０４上に配置されるものであり、短時間での配置作業が求められる。
【先行技術文献】
【特許文献】
【０００５】
【特許文献１】特開２００８−９３１９９
【発明の概要】
【発明が解決しようとする課題】
【０００６】
しかしながら、上記特許文献１に記載のような従来の大容量泡放射システムは、最小曲げ半径が大きい（通常３．５ｍ以上）大口径のホースを使用しているために、例えば、図７のＢ部分に示すように、ホース６４を方向転換させるためには、道路１０４上の広いスペースを必要としなければならなかった。
【０００７】
すなわち、ほぼ道路幅全長を使用してホースが道路を横切る場合があるので、消防車あるいは避難する人や消防士等が通行できなくなる恐れが生じる。また、ホースの最小曲げ半径が大きいと、狭い道へのホースの配置は不可能であり、ホースを広い道路に迂回させる必要もあった。このような場合、一刻も早く行わなければならない消火作業に遅れが生じる可能性がある。
【０００８】
本発明は、上記事情に鑑みてなされたものであり、その目的は、大容量泡放射システムに使用されるホースの道路上での方向転換を小スペースで行うことを可能とする大容量泡放射システム用ホース接続具を提供することにある。
【課題を解決するための手段】
【０００９】
上記目的を解決するため、請求項１に記載の大容量泡放射システム用ホース接続具は、大容量泡放射システムに使用される最小曲げ半径の大きい大口径ホース同士を接続する接続具において、前記大口径ホースの最小曲げ半径よりも少なくとも小さい曲げ半径で湾曲された接続管部を有し、該接続管部の各々の端部には、前記大口径ホースと接続するための接続口がそれぞれ設けられ、前記接続管部には、地面から一定の高さで支持するための脚部が設けられ、該脚部は、地面に設置され、前記支持状態の安定化のための所定の面積を有する平板状のベース部に固定されたことを特徴とする。
【００１０】
この構成によれば、接続管部は上記のように湾曲しているので、方向転換したい場所に本接続具を配置して、各接続口にそれぞれホースを接続すれば、ホースの方向転換に要するスペースを小さくすることができる。したがって、ホースをより道路脇に配置することができるので、人や消防車の通行の妨げとならず、消火作業の迅速化が図られる。また、脚部によって接続管部を一定の高さに支持することで、本ホース接続具とホースを接続する作業をスムーズに行うことができる。更に、平板状のベース部に脚部を設けることにより、本ホース接続具が安定的に設置され、送水される泡消火剤や水の勢いにより、本ホース接続具が暴れて不用意に移動することを防止することができる。
【００１１】
請求項２に記載の大容量泡放射システム用ホース接続具は、
請求項１に記載の大容量泡放射システム用ホース接続具において、前記接続管部は、前記大口径ホースを前記接続口に接続した時の２本の前記大口径ホースの軸方向の交差角が、ほぼ直角又は少なくともそれより小さい角度となるように湾曲されたことを特徴とする。
【００１２】
道路の交差点や丁字路においてホースの方向を変えるには、直角あるいはそれ以下の角度にホースの方向を変えることが多いが、上記角度に湾曲された接続管部を有するホース接続具を使用すれば、このような角度でも容易に方向転換することができ、本ホース接続具による省スペース化効果を特に発揮させることができる。
【発明の効果】
【００１３】
本発明の大容量泡放射システム用ホース接続具によれば、ホースの方向転換に要するスペースを小さくすることができ、ホースを道路脇に配置することが可能となるので、人や車の通行の妨げとなることを防止することができる。また、ホースとの接続作業が容易であり、送水される泡消火剤の勢いにより移動せず安定なホース接続具を提供することができる。
【図面の簡単な説明】
【００１４】
【図１】本発明のホース接続具の斜視図である。
【図２】ホース接続具の平面図（Ａ）及び正面図（Ｂ）である。
【図３】ホース接続具、ホース及びスリーブの詳細図である。
【図４】本ホース接続具を用いて大容量泡放射システムを配置したときの上方から見た図である。
【図５】図４のＡ部分の詳細図である。
【図６】大容量泡放射システムの概略説明図である。
【図７】従来の大容量泡放射システムの配置状態を上方から見た図である。
【発明を実施するための形態】
【００１５】
以下、本発明を図面を参照してより詳細に説明する。図１は、本発明のホース接続具の斜視図である。また、図２の（Ａ）はホース接続具の平面図であり、（Ｂ）は正面図である。
【００１６】
図示のように、本ホース接続具１０は、湾曲部１２ａを有する接続管部１２を有し、接続管部１２の両端にはそれぞれ接続口１４（以下、「接続具接続口１４」とも称する。）が設けられており、この接続具接続口１４は後述するホース３０の接続口３２（図３に図示）と接続される。接続管部１２の湾曲部１２ａは、その曲げ半径が、大容量泡放射システムに使用する大口径ホース（２０〜３０ｃｍの口径のホースのことをいう。）の最小曲げ半径よりも小さくなるように形成される。このように湾曲させることで、ホース接続具１０を使用せずにホースを曲げて方向転換する場合に必要とするスペースよりも小さいスペースでホースの方向転換を行うことができる。この曲げ半径は、例えば１ｍ以下、好ましくは５〜５０ｃｍ、特に好ましくは１０〜３０ｃｍとする。
【００１７】
また、本実施の形態においては、湾曲部１２ａは、後述するホースを接続口１４に接続した時の２本のホースの軸方向の交差角が、直角となるように湾曲されている。この角度は直角に限定されるものではなく、ホースを方向転換したい角度によって適宜選択することができる。
【００１８】
大容量泡放射システムを設置する場合、交差点や丁字路等の直角に曲がる道路上にホースを設置する場面が多いが、このように、ホース接続具１０の角度を、ほぼ直角の角度、あるいはこれより小さい角度に設定することにより、ホースの方向転換の際の省スペース化の効果を特に発揮させることができる。
【００１９】
接続管部１２の各端部側下部には、接続管部１２を地面から一定の高さで支持する脚部１６が設けられており、脚部１６は平板状のベース部１８の上に固定されている。脚部１６によって接続管部１２を地面から一定の高さで支持することにより、ホース３０との接続作業を、接続管部１２を持ち上げることなく容易に行うことができる。この高さは、地面から５〜３０ｃｍ、好ましくは１０〜２０ｃｍ、特に１０ｃｍ程度の高さに設定するのが好ましい。脚部１６は接続管部１２に溶接などにより固定される。
【００２０】
また、ベース部１８を設けることにより、本ホース接続具１０を道路上に安定的に設置することができ、送水される泡消火剤や水の勢いによりホース接続具１０が不用意に移動することを防止することができる。ベース部１８の大きさ（面積）は、平面視で接続管部１２をほぼ覆う大きさとすることが、確実に安定化できる点で好ましい。ベース部１８は矩形状の形状とされているが、この形状に限定されるものではなく、円状や台形状等種々の形状をとることができる。
【００２１】
接続管部１２の口径は大口径ホースとほぼ同一の口径（通常、２０〜３０ｃｍ）に設定され、鋼鉄等の重量の大きい部材から構成される。接続管部１２に重量を持たせることによって、送水される泡消火剤や水の勢いによりホース接続具１０が設置した位置から不用意に移動することをより確実に防止することができる。
【００２２】
接続管部１２は、接続管部１２の端部（接続口１４）から中央部の湾曲部１２ａに向かうに従い次第に口径が大きくなるように構成することが好ましい。このような形状とすることで、ホース接続具１０において送水された泡消火剤が滞ることなく、多量の泡消火剤を確実に送水することができる。
【００２３】
それぞれの接続具接続口１４は、溶接等により接続管部１２と固定されており、図３にも示すように、接続具接続口１４の外周面には、ジョイント部材用接続溝２２が設けられており、接続口１４の内周面には、スリーブ用対向部２４が設けられている。
【００２４】
次に、本ホース接続具１０とホース３０との接続方法の一例の説明をするが、下記の例に限定されるものではなく、従来から公知の種々の方法を用いることができる。
【００２５】
図３に示すように、ホース部３０の接続口３２（以下、「ホース接続口３２」とも称する。）も、上述したホース接続具１０の接続口１４と同様の構造とされている。但し、ホース接続口３２はホース３０とは別体となっており、結合部材３４によりホース３０とホース接続口３２が固定されている。この固定は、ホース接続口３２の外周面の一部をホース３０の内周面で覆い、ホース３０と接続口３２の重なった部分に結合部材３４を外側から覆うように嵌めることによって行われる。ホース３０の素材としては、従来の大容量泡放射システムで使用されているものと同様のものを使用すればよい。
【００２６】
次に、本発明のホース接続具１０とホース３０との接続方法を説明する。まず、スリーブ２０を接続具接続口１４の内部に嵌め込む。上述したように接続具接続口１４の内周面にはスリーブ用対向部２４が形成されているので、このスリーブ用対向部２４にスリーブ２０の端部２０ａを対向させることでスリーブ２０の半分が接続具接続口１４の内部に嵌合される。
【００２７】
続いて、スリーブ２０の反対側をホース接続口３２の内側に嵌合させて、ホース接続具１０とホース３０が接続された状態とし、ビクトリックジョイント等のジョイント部材（図示せず）をジョイント部材用接続溝２２に嵌める。以上により、本ホース接続具１０とホース３０の接続が完了する。
【００２８】
次に、本ホース接続具１０を使用して、大容量泡放射システムを配置した状態を図４に示す。図示のように、通常、石油タンク１０２は海１００沿いに建設され、その周りには道路１０４が敷設されている。本図においては、石油タンク１０２−１に火災が発生したときの大容量泡放射システムの配置図を示している。図示のように、海１００に水中ポンプ５２が配置され、ホースで水中ポンプ５２と接続された送水システム５６が海岸沿いの道路１０４上に設置されている。また、送水システム５６の前方には泡混合装置６０が設置され、泡混合装置６０は送水システム５６とホース５８により接続されている。火災発生タンク１０２−１の近部の道路１０４上には泡放水砲６６が設置され、泡放水砲６６と泡混合装置６０はホース６４−１、６４−２、６４−３、６４−４により接続されている。ここで、泡放水砲６６と泡混合装置６０を接続する上記ホースは曲がり角のある道路に配置されるが、本大容量泡放射システムでは、本発明のホース接続具１０を道路の曲がり角３か所に使用して各ホース６４−１、６４−２、６４−３、６４−４の方向転換を行っている。したがって、図示のように、これらのホースを常に道路脇に配置させることができる。
【００２９】
ホース接続具１０が使用されている例の詳細図（Ａ）を図５に示す。このように、ホース接続具１０を使用すれば、従来の大容量泡放射システムとは異なり、小スペースでホースの方向転換を行うことができる。そのため、道路１０４の中央部分には空きスペースができ、この空きスペースを人や消防車が通行することができる。したがって、従来の大容量泡放射システム（図７に図示）とは異なり、配置されたホースにより消火作業の迅速化の妨げとなることはない。
【００３０】
本発明は上記各実施の形態の構成に限定されるものではなく、発明の要旨の範囲内で種々の変形が可能である。
【産業上の利用可能性】
【００３１】
本ホース接続具を使用して大容量泡放射システムを配置すれば、道路の空きスペースを有効に使用し、消火作業の迅速化を図ることができる。
【符号の説明】
【００３２】
１０  大容量泡放射システム用ホース接続具
１２  接続管部
１４  接続具接続口
１６  脚部
１８  ベース部
２０  スリーブ
２２  ジョイント部材用接続溝
２４  スリーブ用対向部
３０  ホース
３２  ホース接続口
５２  水中ポンプ
５４  ホース
５６  送水システム
５８  ホース
６０  泡混合装置
６２  泡供給システム
６４  ホース
６６  泡放水砲
１００  海
１０２  石油タンク
１０２−１  火災発生タンク
１０４  道路
１０６  泡消火剤
【図１】
2012090703.tif 000003
【図２】
2012090703.tif 000004
【図３】
2012090703.tif 000005
【図４】
2012090703.tif 000006
【図５】
2012090703.tif 000007
【図６】
2012090703.tif 000008
【図７】
2012090703.tif 000009